(57)【要約】【課題】  使用時間が経過して行き、３個のボールによる締め付けがきつくなり、ボールがワイヤーに食い込んでワイヤーが破断するのを防止することを目的とする。【解決手段】  円錐体状のボール支持部材の軸線部にワイヤーの挿通孔を穿設し、円錐部を３等配した箇所に挿通孔に通じる凹部を刻設し、凹部にボールを載置してワイヤーに当接させると共に円錐部からボールの一部を突出させ、円筒体状のグリップケースをボール支持部材に外嵌めし、円筒体の上部の円錐部でボールを押圧させ、グリップケースの下端に連結し、ワイヤーを挿通させるロックケースとよりなる展示パネルハンガーであって、ロックケースのワイヤー挿通孔に円弧筒状案内片を固着させると共に円弧筒状案内片に対向させて円弧筒状押圧片を半径方向に移動可能に設け、ロックケースに螺着した穴付ビスの先端を円弧筒状押圧片の外周面に当接させてなる展示パネルハンガーとした。【選択図】  図１
2005124595.tif 000002
【特許請求の範囲】
【請求項１】
円錐体状のボール支持部材の軸線部にワイヤーの挿通孔を穿設し、円錐部を３等配した箇所に挿通孔に通じる凹部を刻設し、凹部にボールを載置してワイヤーに当接させると共に円錐部からボールの一部を突出させ、円筒体状のグリップケースをボール支持部材に外嵌めし、円筒体の上部の円錐部でボールを押圧させ、グリップケースの下端に連結し、ワイヤーを挿通させるロックケースとよりなる展示パネルハンガーであって、ロックケースのワイヤー挿通孔に円弧筒状案内片を固着させると共に円弧筒状案内片に対向させて円弧筒状押圧片を半径方向に移動可能に設け、ロックケースに螺着した穴付ビスの先端を円弧筒状押圧片の外周面に当接させてなる展示パネルハンガー。
【発明の詳細な説明】
【技術分野】
【０００１】
本発明は、絵画等の展示パネルを展示のために吊り下げる展示パネルハンガーに関し、特に、吊り下げに用いるワイヤーの断線を防ぐ展示パネルハンガーに関するものである。
【背景技術】
【０００２】
従来の展示パネルハンガーは、円錐体状のボール支持部材の軸線部にワイヤーの挿通孔を穿設し、円錐部を３等配した箇所に挿通孔に通じる凹部を刻設し、凹部にボールを載置してワイヤーに当接させると共に円錐部からボールの一部を突出させ、円筒体状のグリップケースをボール支持部材に外嵌めし、円筒体の上部の円錐部でボールを押圧させ、絵画等の展示パネルを吊り下げるフックを備えた接続部材をロックケースに連結している。
【０００３】
絵画等の展示パネルの荷重は、フック、接続部材、ロックケース、ワイヤグリップを経てワイヤグリップの円錐部からボールに伝達されて３個のボールによってワイヤーを締め付けている。
【０００４】
使用時間が経過して行くと、３個のボールによる締め付けがきつくなり、ボールがワイヤーに食い込んで行き、ワイヤーが破断しやすくなる。
【特許文献１】特開平１１−２２１１４１
【発明の開示】
【発明が解決しようとする課題】
【０００５】
展示パネルハンガーで、使用時間が経過して行くと、３個のボールによる締め付けがきつくなり、ボールがワイヤーに食い込んで行き、ワイヤーが破断しやすくなる。
【課題を解決するための手段】
【０００６】
本発明は、上記の事情に鑑み、ボールがワイヤーに食い込んで、ワイヤーが破断しやすくなるのを防止すべく、円錐体状のボール支持部材の軸線部にワイヤーの挿通孔を穿設し、円錐部を３等配した箇所に挿通孔に通じる凹部を刻設し、凹部にボールを載置してワイヤーに当接させると共に円錐部からボールの一部を突出させ、円筒体状のグリップケースをボール支持部材に外嵌めし、円筒体の上部の円錐部でボールを押圧させ、グリップケースの下端に連結し、ワイヤーを挿通させるロックケースとよりなる展示パネルハンガーであって、ロックケースのワイヤー挿通孔に円弧筒状案内片を固着させると共に円弧筒状案内片に対向させて円弧筒状押圧片を半径方向に移動可能に設け、ロックケースに螺着した穴付ビスの先端を円弧筒状押圧片の外周面に当接させてなる展示パネルハンガーとした。
【発明の効果】
【０００７】
本発明は、上述のように、円錐体状のボール支持部材の軸線部にワイヤーの挿通孔を穿設し、円錐部を３等配した箇所に挿通孔に通じる凹部を刻設し、凹部にボールを載置してワイヤーに当接させると共に円錐部からボールの一部を突出させ、円筒体状のグリップケースをボール支持部材に外嵌めし、円筒体の上部の円錐部でボールを押圧させ、グリップケースの下端に連結し、ワイヤーを挿通させるロックケースとよりなる展示パネルハンガーであって、ロックケースのワイヤー挿通孔に円弧筒状案内片を固着させると共に円弧筒状案内片に対向させて円弧筒状押圧片を半径方向に移動可能に設け、ロックケースに螺着した穴付ビスの先端を円弧筒状押圧片の外周面に当接させてなる展示パネルハンガーであるので、使用時間が経過して行くと、３個のボールによる締め付けがきつくなり、ボールがワイヤーに食い込んでワイヤーが破断しやすくなるのを防止する。
【発明を実施するための最良の形態】
【０００８】
本発明を添付する図面に示す具体的な実施例に基づいて、以下詳細に説明する。
【０００９】
図１は、本発明の全体の概要を示す模式図、図２は、ボール装着部のII−II断面図、図３は、III −III 断面図である。
【００１０】
ボール支持部材１は、円錐体から上方へネジ部２と下方へ案内軸３とをそれぞれ突出させている。
【００１１】
ボール支持部材１の軸線部にワイヤー４の挿通孔５を穿設する。円錐部６を３等配した箇所に挿通孔５に通じる凹部７を刻設する。この凹部７にボール８を載置して挿通孔５内に位置するワイヤー４に当接させると共に円錐部６からボール８の一部を突出させる。
【００１２】
グリップケース９は、ボール支持部材１に外嵌めできる大きさに設定し、その上部を円錐部１０に形成し、その円錐部１０で前記ボール８を押圧させる。
【００１３】
グリップケース９の下端にはロックケース１１を螺着する。このロックケース１１の軸線部には、ボール支持部材１、ワイヤーグリップ９を通ってきたワイヤー４を挿通させるワイヤー挿通孔１２を穿設する。
【００１４】
ロックケース１１の下端には、絵画等の展示パネルを吊り下げるフック１３を備えた接続部材１４を連結し、ロックケース１１からのワイヤー４は連続部材１４の側方より延出させる。符号１５はゲートである。
【００１５】
符号１８はキャップであって、ボール支持部材１のネジ部２に螺着する。
【００１６】
ボール支持部材１内に固着した座板１６に案内軸３に外嵌めしたコイルスプリング１７を着座させてボール支持部材１を上方へ向けて付勢し、ボール８をボール支持部材１とワイヤーグリップ９の円錐部１０との間に挟持させる。
【００１７】
使用時間が経過すると共にワイヤーグリップ９が下方に下がり、ボール８がワイヤー４に食い込んで行き、ワイヤー４が破断するのを防止するために、ロックケース１１にワイヤー４の固定部を設ける。
【００１８】
ワイヤー４の固定部は、ワイヤー挿通孔１２に円弧筒状案内片１９を固着させると共に円弧筒状案内片１９に対向させて円弧状押圧片２０を半径方向に移動可能に設け、ロックケース１１に螺着した六角穴付ビス２１の先端を円弧状押圧片２０の外周面に当接させる。六角穴付ビス２１を締め込んでワイヤー４を固定する。
【００１９】
ワイヤー４の固定箇所がワイヤー支持部材１、ワイヤーグリップ９とロックケース１１の２箇所となるので、荷重が分散され、ワイヤーの破断が防止できる。
【００２０】
ロックケース１１において、円弧筒状案内片１９、円弧筒状押圧片２０を用いないで単なる六角穴付ビス２１のみで締め込むと、ワイヤー４に六角穴付ビス２１がワイヤー４に食い込んで行くので、好ましくない。
【実施例】
【００２１】
外径１．５ｍｍのワイヤー４のワイヤー素材強度は１７０ｋｇｆで、他のハンガーでのワイヤー破断重量は１１２〜１１６ｋｇｆで、さらに他のハンガーでのワイヤー破断重量は１１２〜１１６ｋｇｆであったが、本発明の展示パネルハンガーのワイヤー破断重量は１５４〜１６７ｋｇｆであり、実験上からも優れていることが分かる。
【産業上の利用可能性】
【００２２】
本発明は、絵画等の展示パネル用ワイヤーに使用したが、絵画等の展示パネル用ワイヤー以外の吊り下げ用ワイヤーに利用できる。
【図面の簡単な説明】
【００２３】
【図１】本発明の全体を概要を示す模式図である。
【図２】ボール装着部のII−II−II断面図である。
【図３】ボール装着部の III−III 断面図である。
【符号の説明】
【００２４】
１…ボール支持部材
２…ネジ部
３…案内軸
４…ワイヤー
５…挿通孔
６…円錐部
７…凹部
８…ボール
９…グリップケース
１０…円錐部
１１…ロックケース
１２…ワイヤー挿通孔
１３…フック
１４…接続部材
１５…ゲート
１６…座板
１７…コイルスプリング
１８…キャップ
１９…円弧筒状案内片
２０…円弧筒状押圧片
２１…六角穴付ビス（穴付ビスの例）
【図１】
2005124595.tif 000003
【図２】
2005124595.tif 000004
【図３】
2005124595.tif 000005